(57)【要約】【課題】  所定の情報に基づいてＬＥＤを用いた照明負荷を所要に制御することができる。【解決手段】  ＬＥＤを用いた照明負荷１０と、交流電源１１から入力した交流電流を整流化して直流電流に変換し照明負荷１０に出力するＡＣ／ＤＣ変換部１２と、を有するＬＥＤ照明機器１において、内部および外部における所定の情報２５Ａ，２５Ｂ，２５Ｃ，２７を入力する入力手段２０と、該入力手段２０により入力された情報に基づいて所定の制御信号を生成し照明負荷１０を所要に制御する演算制御手段２４と、を含む制御部１４を有する。外部における所定の情報２７は、無線通信により入力される。【選択図】  図１
2011258341.tif 000002
【特許請求の範囲】
【請求項１】
ＬＥＤを用いた照明負荷と、交流電源から入力した交流電流を整流化して直流電流に変換し前記照明負荷に出力するＡＣ／ＤＣ変換部と、を有するＬＥＤ照明機器において、
所定の情報を入力する入力手段と、該入力手段により入力された情報に基づいて所定の制御信号を生成し前記照明負荷を所要に制御する演算制御手段と、を含む制御部を有することを特徴とするＬＥＤ照明機器。
【請求項２】
前記入力手段は、前記所定の情報を無線通信により入力する第１の無線通信手段とすることを特徴とする請求項１に記載のＬＥＤ照明機器。
【請求項３】
前記無線通信は、電磁波による無線通信または光による無線通信とすることを特徴とする請求項２に記載のＬＥＤ照明機器。
【請求項４】
前記光による無線通信は、赤外線による無線通信または紫外線による無線通信とすることを特徴とする請求項３に記載のＬＥＤ照明機器。
【請求項５】
前記演算制御手段は、ＣＰＵにより構成されることを特徴とする請求項４に記載のＬＥＤ照明機器。
【請求項６】
前記制御部は、前記演算制御手段による演算処理を行うためのプログラムを記憶する記憶手段を有することを特徴とする請求項５に記載のＬＥＤ照明機器。
【請求項７】
前記記憶手段は、メモリにより構成されることを特徴とする請求項６に記載のＬＥＤ照明機器。
【請求項８】
前記ＡＣ／ＤＣ変換部は、前記演算制御手段により生成された制御信号に基づいて前記照明負荷を所要に制御する制御手段を含むことを特徴とする請求項７に記載のＬＥＤ照明機器。
【請求項９】
前記照明負荷は、複数のＬＥＤを用いて形成されることを特徴とする請求項８に記載のＬＥＤ照明機器。
【請求項１０】
請求項１乃至請求項９に記載のＬＥＤ照明機器と、前記入力手段に前記所定の情報を出力する出力手段を含むコントローラと、を有することを特徴するＬＥＤ照明装置。
【請求項１１】
前記出力手段は、前記所定の情報を無線通信により前記入力手段に出力する第２の無線通信手段とすることを特徴とする請求項１０に記載のＬＥＤ照明装置。
【請求項１２】
前記コントローラは、所定の検出を行う検出手段を有するとともに、前記第２の無線通信手段は、前記検出手段からの検出信号を前記所定の情報として前記第１の無線通信手段に出力することを特徴とする請求項１１に記載のＬＥＤ照明装置。
【請求項１３】
前記コントローラは、前記検出手段からの検出信号をアナログ信号からデジタル信号に変換するAD変換器を有することを特徴とする請求項１２に記載のＬＥＤ照明装置。
【請求項１４】
前記検出手段は、前記ＬＥＤ照明機器の周囲における人の有無を検出する人検出手段または光量を検出する光量検出手段とすることを特徴とする請求項１３に記載のＬＥＤ照明装置。
【請求項１５】
前記ＬＥＤ照明機器および前記コントローラを所定の管内に収納して構成することを特徴とする請求項１０乃至請求項１４に記載のＬＥＤ照明装置。
【請求項１６】
前記コントローラは、パーソナルコンピュータとすることを特徴とする請求項１０乃至請求項１４に記載のＬＥＤ照明装置。
【請求項１７】
請求項１乃至請求項９に記載された少なくとも一つのＬＥＤ照明機器と、請求項１０乃至請求項１６に記載された少なくとも一つのＬＥＤ照明装置と、を有し、前記ＬＥＤ照明装置において前記第１の無線通信手段と前記第２の無線通信手段との間で無線通信を行うとともに、前記ＬＥＤ照明機器における第１の無線通信手段と前記ＬＥＤ照明装置における第１の無線通信手段との相互間において無線通信を行うことを特徴とするＬＥＤ照明システム。
【発明の詳細な説明】
【技術分野】
【０００１】
本発明は、ＬＥＤ照明機器、ＬＥＤ照明装置、およびＬＥＤ照明システムに関し、特に、所定の情報に基づいて照明負荷を所要に制御するＬＥＤ照明機器、ＬＥＤ照明装置、およびＬＥＤ照明システムに関する。
【背景技術】
【０００２】
近年、ＬＥＤ（発光ダイオード）を光源とするＬＥＤ照明機器が多く使用されてきている。このＬＥＤ照明機器は、例えば、商用交流電源からの出力を整流して直流化しＬＥＤを用いた照明負荷に供給している。このようなＬＥＤ照明機器は例えば特許文献１および特許文献２に開示される技術が参照される。
【先行技術文献】
【特許文献】
【０００３】
【特許文献１】実開平０５−０７６０６１号公報
【特許文献２】実開平０６−０６２５５８号公報
【発明の概要】
【発明が解決しようとする課題】
【０００４】
近年は、省エネルギー、安全管理の徹底、使用用途の拡大等の観点から所定の情報に即応することができる新たなＬＥＤ照明機器の提供が強く要望されている。
本発明はこのような事情に鑑みてなされたもので、所定の情報に基づいて照明負荷を所要に制御することができるＬＥＤ照明機器、ＬＥＤ照明装置、およびＬＥＤ照明システムを提供することを目的とする。
【課題を解決するための手段】
【０００５】
上記目的を達成するために、ＬＥＤ照明機器に係る請求項１の発明は、ＬＥＤを用いた照明負荷と、交流電源から入力した交流電流を整流化して直流電流に変換し前記照明負荷に出力するＡＣ／ＤＣ変換部と、を有するＬＥＤ照明機器において、所定の情報を入力する入力手段と、該入力手段により入力された情報に基づいて所定の制御信号を生成し前記照明負荷を所要に制御する演算制御手段と、を含む制御部を有することを特徴とする。
【０００６】
本発明によれば、所定の情報を入力する入力手段と、該入力手段により入力された情報に基づいて所定の制御信号を生成し照明負荷を所要に制御する演算制御手段と、を含む制御部を有することとしたので、所定の情報に基づいて照明負荷を所要に制御することができる。
【０００７】
ここで、前記入力手段は、前記所定の情報を無線通信により入力する第１の無線通信手段とすることとすれば、更に照明負荷における制御の多様化が図られるとともに、所定の情報を入力するための配線が不要となり、機器のコンパクト化も図ることができる（請求項２）。
【０００８】
前記無線通信は、例えば、電磁波による無線通信または光による無線通信とし（請求項３）、光による無線通信は赤外線による無線通信または紫外線による無線通信とすることができる（請求項４）。
また、前記演算制御手段は、ＣＰＵにより構成され（請求項５）、前記制御部は、前記演算制御手段による演算処理を行うためのプログラムを記憶する記憶手段を有することとし（請求項６）、更に前記記憶手段は、メモリにより構成されることとすることができる（請求項７）。このようにＣＰＵやメモリを有することとすることにより、更に一層照明負荷における制御の多様化を図ることができる。
【０００９】
前記ＡＣ／ＤＣ変換部は、前記演算制御手段により生成された制御信号に基づいて前記照明負荷を所要に制御する制御手段を含むこととすれば、更に機器の回路構成が簡略化され、コンパクト化を図ることができる（請求項８）。
前記照明負荷は、複数のＬＥＤを用いて形成されることとすれば、例えば、各照明負荷における電流値が異なるように制御する等、更なる制御の多様化を図ることができ、ＬＥＤ照明機器の使用用途の拡大を図ることができる（請求項９）。
【００１０】
上記目的を達成するために、ＬＥＤ照明装置に係る請求項１０の発明は、請求項１乃至請求項９に記載のＬＥＤ照明機器と、前記入力手段に前記所定の情報を出力する出力手段を含むコントローラと、を有することを特徴する。
本発明によれば、ＬＥＤ照明装置において、所定の情報に基づいて照明負荷を所要に制御することができるとともに、照明負荷における制御の多様化や装置のコンパクト化も図ることができる。
【００１１】
ここで、前記出力手段は、前記所定の情報を無線通信により前記入力手段に出力する第２の無線通信手段とすることとすれば、照明負荷における制御の多様化が図られるとともに、所定の情報を入力するための配線が不要となり、装置のコンパクト化も図ることができる（請求項１１）。
【００１２】
前記コントローラは、所定の検出を行う検出手段を有するとともに、前記第２の無線通信手段は、前記検出手段からの検出信号を前記所定の情報として前記第１の無線通信手段に出力することができる（請求項１２）。
また、前記コントローラは、前記検出手段からの検出信号をアナログ信号からデジタル信号に変換するAD変換器を有することとすれば、第１の無線通信手段と第２の無線通信手段との間の通信をデジタル信号により行うことができる（請求項１３）。
【００１３】
前記検出手段は、例えば前記ＬＥＤ照明機器の周囲における人の有無を検出する人検出手段または光量を検出する光量検出手段とすることができる（請求項１４）。 
前記ＬＥＤ照明機器および前記コントローラを所定の管内に収納して構成することとすれば、更なるコンパクト化を図ることができ、ＬＥＤ照明装置の使用用途の拡大を図ることができる（請求項１５）。
【００１４】
前記コントローラは、パーソナルコンピュータとすることとすれば、パーソナルコンピュータから所定のプログラムを送信してＬＥＤ照明機器の記憶手段に新たなプログラムを記憶させることとしたり、記憶手段に記憶されたプログラムを書き換える等することができ、ＬＥＤ照明装置の更なる使用用途の拡大を図ることができる（請求項１６）。
【００１５】
上記目的を達成するために、ＬＥＤ照明システムに係る請求項１７の発明は、請求項１乃至請求項９に記載された少なくとも一つのＬＥＤ照明機器と、請求項１０乃至請求項１６に記載された少なくとも一つのＬＥＤ照明装置と、を有し、前記ＬＥＤ照明装置において前記第１の無線通信手段と前記第２の無線通信手段との間で無線通信を行うとともに、前記ＬＥＤ照明機器における第１の無線通信手段と前記ＬＥＤ照明装置における第１の無線通信手段との相互間において無線通信を行うことを特徴とする。
本発明によれば、照明負荷における制御の更なる多様化を図ることができ、ＬＥＤ照明システムの使用用途をより一層拡大することができる。
【発明の効果】
【００１６】
本発明によれば、所定の情報に基づいてＬＥＤを用いた照明負荷を所要に制御することができる。
【図面の簡単な説明】
【００１７】
【図１】本発明の実施形態に係るＬＥＤ照明機器の全体構成を示す回路図である。
【図２】ＬＥＤ照明機器における制御部の構成を示すブロック図である。
【図３】制御部における演算制御手段の構成を示すブロック図である。
【図４】ＬＥＤ照明機器の外観構成の概要を示す図である。
【図５】照明負荷の詳細を示す第１の回路図である。
【図６】照明負荷の詳細を示す第２の回路図である。
【図７】照明負荷の詳細を示す第３の回路図である。
【図８】照明負荷の詳細を示す第４の回路図である。
【図９】本発明の実施形態に係るＬＥＤ照明装置の全体構成を示す回路図である。
【図１０】コントローラの構成を示すブロック図である。
【図１１】ＬＥＤ照明装置の外観構成を示す図である。
【図１２】ＬＥＤ照明装置における制御動作の概要を説明するためのフローチャートである。
【図１３】内部情報に基づく制御動作の詳細を示すフローチャートである。
【図１４】外部情報に基づく制御動作の詳細を示すフローチャートである。
【図１５】本発明の第１の変形例に係るＬＥＤ照明システムを示す図である。
【図１６】本発明の第２の変形例に係るＬＥＤ照明装置を示す図である。
【図１７】本発明の第３の変形例に係るＬＥＤ照明装置を示す図である。
【発明を実施するための形態】
【００１８】
以下、本発明の実施の形態について図面を参照して詳細に説明する。
〔ＬＥＤ照明機器の構成〕
図１は本発明の実施形態に係るＬＥＤ照明機器の全体構成を示す回路図である。同図を参照してＬＥＤ照明機器の概要を説明すると、ＬＥＤ照明機器１は、ＬＥＤを用いた照明負荷１０（以下、単に照明負荷１０とする）と、照明負荷１０と交流電源１１との間に接続されたＡＣ／ＤＣ変換部１２と、ＡＣ／ＤＣ変換部１２と照明負荷１０との間において照明負荷１０に対し並列に接続されたコンデンサ１３と、を有し、交流電源１１から入力した交流電流をＡＣ／ＤＣ変換部１２により整流して直流電流に変換するとともに、変換した直流電流をコンデンサ１３により平滑化して照明負荷１０に供給する。
【００１９】
ＡＣ／ＤＣ変換部１２は、第１のスイッチングトランジスタ乃至第４のスイッチングトランジスタを含むブリッジ回路として形成されており、所定の制御信号に基づいてこれらスイッチングトランジスタのオンオフを所要に制御することにより、交流電源１１からの交流電流を全波整流する。これにより、交流電流におけるプラス側およびマイナス側のいずれの電流の流れ方向においても照明負荷１０における入力側から出力側への一方向の流れとして直流を形成することができる。更にＡＣ／ＤＣ変換部１２において、交流電流を整流した状態においてオン状態にあるスイッチングトランジスタのオンオフを更に制御することにより、照明負荷１０における電流を所要に制御することができる。
【００２０】
つまり、ＡＣ／ＤＣ変換部１２は、所定の制御信号に基づいて照明負荷１０における電流を所要に制御する電流制御手段としても機能する。このようにＡＣ／ＤＣ変換部１２を整流化手段および電流制御手段として機能させることにより、機器の回路構成が簡略化され、コンパクト化を図ることができる。
【００２１】
ＬＥＤ照明機器１は、所定の制御信号を生成する制御部１４を有している。図２に示すように、制御部１４は、入力手段２０、記憶手段２３、および演算制御手段２４を有している。
入力手段２０は、所定の情報を入力する手段であり、内部情報入力手段２１および外部情報入力手段２２を含んでいる。
内部情報入力手段２１は、ＬＥＤ照明機器１の内部における所定の信号情報を入力する手段であり、符号信号入力手段２１Ａ、電流信号入力手段２１Ｂ、および異常信号入力手段２１Ｃを有している。
【００２２】
符号信号入力手段２１Ａは、交流電源１１における検出電圧を示す信号情報２５Ａを入力する手段、つまり交流電源１１における交流のプラスマイナスの符号を示す信号情報２５Ａを入力する手段である。
電流信号入力手段２１Ｂは、照明負荷１０の出力側における検出電流を示す信号情報２５Ｂを入力する手段である。
【００２３】
異常信号入力手段２１Ｃは、ＬＥＤ照明機器１の内部における所定の異常を示す信号情報２５Ｃを入力する手段である。より詳しくは、異常信号入力手段２１Ｃは、温度異常検出センサやその他各種の異常検出センサを含み、該センサにより検出された温度の異常や機器の破損の状況等を示す検出信号を入力する手段である。
これら内部情報入力手段２１により入力された信号情報２５Ａ乃至２５Ｃは、Ａ／Ｄ変換器２６Ａ乃至２６Ｃによりアナログ信号からデジタル信号に変換されて演算制御手段２４に入力される。
【００２４】
外部情報入力手段２２は、ＬＥＤ照明機器１の外部における所定の信号情報を入力する手段である。より詳しくは、外部情報入力手段２２は、無線通信により外部における所定の信号情報２７を入力する第１の無線通信手段２２として機能する（以下、外部情報入力手段２２は、第１の無線通信手段２２とする）。この第１の無線通信手段２２には、電磁波による通信手段や赤外線または紫外線等の光による通信手段が採用される。第１の無線通信手段２２により入力された信号情報は、シリアル通信手段２７を介して演算制御手段２４に入力される。シリアル通信手段２７には、例えばＷｉＦｉまたはＢｌｕｅｔｏｏｔｈ等が採用される。
【００２５】
記憶手段２３は、演算制御手段２４が所定の演算処理を行うためのプログラムを記憶する手段、より詳しくは、演算制御手段２４が上述した各種信号情報２５Ａ，２５Ｂ，２５Ｃ，２７を入力するとともに、該入力した各種信号情報２５Ａ，２５Ｂ，２５Ｃ，２７に基づいて所定の制御信号を生成するためのプログラムを記憶する手段である。この記憶手段２３は、フラッシュメモリやＳＲＡＭ等のメモリにより構成される。
【００２６】
演算制御手段２４は、記憶手段２３に記憶されたプログラムを実行することにより、入力された信号情報２５Ａ，２５Ｂ，２５Ｃ，２７に基づき所定の制御信号を生成するとともに、該生成した制御信号をＡＣ／ＤＣ変換部１２に出力し、ＡＣ／ＤＣ変換部１２における第１のスイッチングトランジスタ乃至第４のスイッチングトランジスタのオンオフを所要に制御する手段である。この演算制御手段２４は、ＣＰＵ、ＤＳＰ、またはＦＰＧＡ等により構成される。図３に示すように、演算制御手段２４は、整流化制御信号生成手段２４Ａ、電流制御信号生成手段２４Ｂ、異常制御信号生成手段２４Ｃ、外部情報制御信号生成手段２４Ｄとして機能する。
【００２７】
整流化制御信号生成手段２４Ａは、符号信号入力手段２１Ａにより入力された交流のプラスマイナスを示す信号情報２５Ａに基づいて交流電流を整流して直流電流に変換するための整流化制御信号を生成する手段である。
電流制御信号生成手段２４Ｂは、電流信号入力手段２１Ｂにより入力された照明負荷１０の出力側における検出電流を示す信号情報２５Bに基づいて電流制御信号を生成する手段である。
【００２８】
異常制御信号生成手段２４Ｃは、異常信号入力手段２１Ｃにより入力されたＬＥＤ照明機器１の内部における所定の異常を示す信号情報２５Ｃに基づいて異常制御信号を生成する手段である。
外部情報制御信号生成手段２４Ｄは、第１の無線通信手段２２により入力されたＬＥＤ照明機器１の外部における所定の信号情報２７に基づいて外部情報制御信号を生成する手段である。
【００２９】
ここで、以上のように構成されたＬＥＤ照明機器１の外観構成は図４の如く示される。すなわち、ＬＥＤ照明機器１は蛍光灯管等の透明または半透明の所定の管３０内に上記した照明負荷１０、ＡＣ／ＤＣ変換部１２、コンデンサ１３、制御部１４を組み込んで形成されており、照明負荷１０は管３０内に複数備えることとすることができる。より詳しくは、図５乃至図８に示すように、所定の管３０内において、照明負荷１０を複数直列に接続したり（図５）、複数の照明負荷１０を並列に接続したり（図６）、照明負荷１０の複数の並列回路を直列に接続したり（図７）、更には照明負荷１０の直列回路と並列回路を適宜組み合わせる等して備えられる（図８）。
【００３０】
このようにＬＥＤ照明機器１を管３０内に一体に組み込むことにより、コンパクトな構成にしつつも所定の情報に基づいて照明負荷１０における電流を所要に制御することができ、ＬＥＤ照明機器１の使用用途の拡大を図ることができる。なお、記憶手段２３に所定のプログラムを記憶させ、かつ、演算制御手段２４により所定の制御信号を生成することとすることにより、各照明負荷１０における電流値が異なるように制御することができる等、制御の多様化を図ることができ、更なる使用用途の拡大を図ることができる。
【００３１】
〔ＬＥＤ照明装置の構成〕
次に本発明のＬＥＤ照明装置について図９乃至図１１を参照して説明する。なお、本〔ＬＥＤ照明装置の構成〕の説明においては、ＬＥＤ照明機器１の構成説明は上記〔ＬＥＤ照明機器の構成〕の説明に譲るものとして以下省略する。
図９に示すように、ＬＥＤ照明装置４０は、上述したＬＥＤ照明機器１と、該ＬＥＤ照明機器１を所要にコントロールするコントローラ５０と、を有しており、ＬＥＤ照明機器１とコントローラ５０との間で無線通信可能に構成されている。図１０に示すように、コントローラ５０は、所定の検出を行う検出手段６０と、出力手段７０と、を有している。
【００３２】
検出手段６０は、ＬＥＤ照明機器１の周囲における人の有無を検出する人検出センサ６１と、ＬＥＤ照明機器１の周囲における光量を検出する光量検出センサ６２と、を含み、各センサ６１，６２からの検出信号はＡＤ変換器６１Ａ，６２Ａを介してアナログ信号からデジタル信号に変換されて出力手段７０に送られる。
【００３３】
出力手段７０は、検出手段６０からの検出信号をＬＥＤ照明機器１の第１の無線通信手段２２に出力する。つまり、出力手段７０は、所定のデジタル化された信号情報を無線通信により第１の無線通信手段２２に出力する第２の無線通信手段７０として機能する（以下、出力手段７０は第２の無線通信手段７０とする）。第２の無線通信手段７０は、電磁波による通信や赤外線または紫外線等の光による通信が可能に構成されている。
【００３４】
図１１に示すように、ＬＥＤ照明装置４０は、ＬＥＤ照明機器１とともにコントローラ５０も蛍光灯等の透明または半透明の所定の管３０内に組み込んで形成されている。このようにコントローラ５０をも管３０内に一体に組み込むことにより、更なるコンパクト化を図ることができ、ＬＥＤ照明装置４０の使用用途を更に一層拡大することができる。なお、演算制御手段２４に容量の大きいＣＰＵ等を採用することによりコントローラ５０の小型化を図ることができ、該コントローラ５０を管３０内に容易に組み込むことができる。
【００３５】
〔ＬＥＤ照明装置の制御動作〕
次に図１２乃至図１４のフローチャートに基づいてＬＥＤ照明装置４０の制御動作を説明する。
まず図１２に示すように、ステップＳ１０において、演算制御手段２４が所定の信号情報が入力されたことを確認、より詳しくはＬＥＤ照明機器１の内部における信号情報２５Ａ，２５Ｂ，２５Ｃまたは外部における信号情報２７が入力されたことを確認すると、ステップＳ２０において、演算制御手段２４が内部における信号情報２５Ａ，２５Ｂ，２５Ｃに基づいて整流化制御信号、電流制御信号、異常制御信号を生成して照明負荷１０における電流を所要に制御し、および／または外部における信号情報２７に基づいて外部情報制御信号を生成して照明負荷１０における電流を所要に制御する。
【００３６】
ここで、ステップＳ１０およびステップ２０の内部における信号情報２５Ａ乃至２５Ｃに基づく制御動作フローをより詳しく説明すると図１３のようになる。
すなわち、ステップＳ１００において、演算制御手段２４が交流のプラスマイナスの符号を示す信号情報２５Ａが入力されたことを確認すると、ステップＳ１１０において、整流化制御信号生成手段２４Ａが整流化制御信号を生成してＡＣ／ＤＣ変換部１２に出力する。これにより、交流が直流に変換される。
続いて、ステップＳ１２０において、演算制御手段２４が照明負荷１０の出力側における検出電流を示す信号情報２５Ｂが入力されたことを確認すると、ステップＳ１３０において、電流制御信号生成手段２４Ｂが電流制御信号を生成してＡＣ／ＤＣ変換部１２に出力する。これにより、照明負荷１０における電流が所要に制御される。
【００３７】
次いで、ステップＳ１４０において、演算制御手段２４が内部の異常を示す信号情報２５Ｃが入力されたことを確認すると、ステップＳ１５０において、異常制御信号生成手段２４Ｃが異常制御信号を生成してＡＣ／ＤＣ変換部１２に出力する。これにより、照明負荷１０への電流の供給をオフとする等、照明負荷１０における電流が所要に制御される。
【００３８】
また、ステップＳ１０乃至ステップＳ２０の外部における信号情報２７に基づく制御動作フローをより詳しく説明すると図１４のようになる。
すなわち、ステップＳ２００において、コントローラ５０の検出手段６０において所定の検出、つまりＬＥＤ照明機器１の周囲における人の有無の検出あるいは光量の検出を行う。続いて、ステップＳ２１０において、検出手段６０の検出信号を外部における信号情報２７としてコントローラ５０の第２の無線通信手段７０を介して無線通信によりＬＥＤ照明機器１の第１の無線通信手段２２に出力する。
【００３９】
そして、ステップＳ２２０において、演算制御手段２４が外部における信号情報２７が入力されたことを確認すると、ステップＳ２３０において、外部制御信号生成手段２４Ｄが外部情報制御信号を生成する。これにより、人の有無により照明負荷１０への電流の供給をオンオフしたり、光量に応じて照明負荷１０の電流を所要に調節する等、照明負荷１０における電流が所要に制御される。
【００４０】
以上説明したように本発明によれば、ＬＥＤ照明機器１、ＬＥＤ照明装置４０において、所定の信号情報２５Ａ，２５Ｂ，２５Ｃ，２７を入力する入力手段２０と、該入力手段２０により入力された信号情報２５Ａ，２５Ｂ，２５Ｃ，２７に基づいて所定の制御信号を生成し照明負荷１０における電流を所要に制御する演算制御手段２４と、を含む制御部１４を有することとしたので、所定の信号情報２５Ａ，２５Ｂ，２５Ｃ，２７に基づいて照明負荷１０における電流を所要に制御することができる。
【００４１】
また、入力手段２０は、ＬＥＤ照明装置１の内部および外部における所定の信号情報を入力することとしたので、照明負荷１０における電流制御の多様化を図ることができる。
更に、入力手段２０のうち外部情報入力手段２２は、外部における所定の信号情報２７を無線通信により入力する無線通信手段２２としたので、更に照明負荷１０における電流制御の多様化が図られるとともに、外部における所定の信号情報２７を入力するための配線が不要となり、機器のコンパクト化も図ることができる。
更にまた、演算制御手段２４はＣＰＵ、ＤＳＰ、またはＦＰＧＡ等により構成され、記憶手段２３はメモリ等により構成されることとしたので、更に一層照明負荷１０における電流制御の多様化を図ることができる。
【００４２】
なお、本発明は上述した実施形態に限定されるものではなく、必要に応じて種々の変形実施または応用実施が可能であることは勿論である。
すなわち、図１５に示す本発明の第１の変形例は、一のＬＥＤ照明装置４０と複数のＬＥＤ照明機器１とを有するＬＥＤ照明システム１００を示している。すなわち、かかる第１の変形例においては、記憶手段２３に所要のプログラムを記憶させ、かつ、演算制御手段２４において所要の演算制御を行うこととすることにより、一のＬＥＤ照明装置４０内において第１の無線通信手段２２と第２の無線通信手段７０との間において無線通信を行うのみならず、一のＬＥＤ照明装置４０内における第１の無線通信手段２２と他のＬＥＤ照明機器１との間で無線通信を行ったり、あるいは複数のＬＥＤ照明機器１間における第１の無線通信手段２２の相互間において無線通信を行うこととしている。このような構成とすることで、照明負荷１０における電流制御の更なる多様化を図ることができ、ＬＥＤ照明システム１００の使用用途をより一層拡大することができる。
【００４３】
また、図１６に示す本発明の第２の変形例は、コントローラ５０に表示手段８０を備えることとしている。すなわち、かかる第２の変形例においては、例えばＬＥＤ照明機器１の記憶手段２３に所要のプログラムを記憶させ、かつ、演算制御手段２４において所要の演算制御を行うこととすることにより、ＬＥＤ照明機器１の異常を示す信号情報２５Ｃを第１の無線通信手段２２を介してコントローラ５０の第２の無線通信手段７０に送信するとともに、該送信した信号情報２５Ｃに基づいて表示手段８０において所要の表示を行う。これにより、ＬＥＤ照明機器１において異常が発生したことを確認することができる。なお、表示手段８０は例えば光の点灯等により異常な状態を表示することができる。
【００４４】
更に、図１７に示す本発明の第３の変形例は、ＬＥＤ照明装置４０においてコントローラ５０に代えてパーソナルコンピュータ１００を備えることとしている。すなわち、パーソナルコンピュータ１００は、ＣＰＵ（演算制御手段）、メモリ（記憶手段）、ハードディスク（記憶手段）、キーボード（入力手段）、ディスプレー（表示手段）を有するとともに、ＬＥＤ照明機器１との間で無線通信を行う手段を有することとすることにより、ＬＥＤ照明機器１において複雑な制御動作を必要とする場合においてもパーソナルコンピュータ１００に所要のプログラムを記憶させつつ複雑な制御動作に対応した信号情報を送信することとする等、制御性を向上させることができる。
【００４５】
また、パーソナルコンピュータ１００から所定のプログラムを送信してＬＥＤ照明機器１の記憶手段２３に新たなプログラムを記憶させることとしたり、記憶手段２３に記憶されたプログラムの書き換え等を行うことができ、更に、パーソナルコンピュータ１００のディスプレーにＬＥＤ照明機器１の異常な状態を表示することができる等、ＬＥＤ照明装置４０の使用用途の拡大を図ることができる。
【産業上の利用可能性】
【００４６】
本発明は、ＬＥＤ照明機器、ＬＥＤ照明装置、およびＬＥＤ照明システムにおいて、所定の情報に基づいてＬＥＤを用いた照明負荷を所要に制御する場合に役立つ。
【符号の説明】
【００４７】
１：ＬＥＤ照明機器
１０：照明負荷
１１：交流電源
１２：ＡＣ／ＤＣ変換部
１３：コンデンサ
１４：制御部
２０：入力手段
２１：内部情報入力手段
２１Ａ：符号信号入力手段
２１Ｂ：電流信号入力手段
２１Ｃ：異常信号入力手段
２２：第１の無線通信手段（外部情報入力手段）
２３：記憶手段
２４：演算制御手段
２４Ａ：整流化制御信号生成手段
２４Ｂ：電流制御信号生成手段
２４Ｃ：異常制御信号生成手段
２４Ｄ：外部情報制御信号生成手段
２５Ａ：交流のプラスマイナスを示す信号情報
２５Ｂ：検出電流を示す信号情報
２５Ｃ：異常を示す信号情報
２６Ａ乃至２６Ｃ：ＡＤ変換器
２７：外部における所定の信号情報
２８：シリアル通信手段
３０：管
４０：ＬＥＤ照明装置
５０：コントローラ
６０：検出手段
６１：人検出センサ
６１Ａ：ＡＤ変換器
６２：光量検出センサ
６２Ａ：ＡＤ変換器
７０：第２の無線通信手段（出力手段）
８０：表示手段
１００：パーソナルコンピュータ
【図１】
2011258341.tif 000003
【図２】
2011258341.tif 000004
【図３】
2011258341.tif 000005
【図４】
2011258341.tif 000006
【図５】
2011258341.tif 000007
【図６】
2011258341.tif 000008
【図７】
2011258341.tif 000009
【図８】
2011258341.tif 000010
【図９】
2011258341.tif 000011
【図１０】
2011258341.tif 000012
【図１１】
2011258341.tif 000013
【図１２】
2011258341.tif 000014
【図１３】
2011258341.tif 000015
【図１４】
2011258341.tif 000016
【図１５】
2011258341.tif 000017
【図１６】
2011258341.tif 000018
【図１７】
2011258341.tif 000019